(57)【要約】【課題】貫通形変流器の構造を簡素なものにし、安定させ強固に固定することのできる固定装置を提供する。【解決手段】貫通形変流器１の外周面がそれぞれ当接するとともに、所定の間隔で固定された２枚の載置板５と、２枚の載置板５の一方端に固定された固定側止め板６と、２枚の載置板５の中間部から他方端までの間に移動可能に固定された可動側止め板７とを備え、固定側止め板６と可動側止め板７とで貫通形変流器１の軸方向と直交する面を挟持することを特徴とする。【選択図】図１
2009170840.tif 000002
【特許請求の範囲】
【請求項１】
貫通形変流器の外周面がそれぞれ当接するとともに、所定の間隔で固定された２枚の載置板と、
前記２枚の載置板の一方端に固定された固定側止め板と、
前記２枚の載置板の中間部から他方端までの間に移動可能に固定された可動側止め板とを備え、
前記固定側止め板と前記可動側止め板とで前記貫通形変流器の軸方向と直交する面を挟持することを特徴とする貫通形変流器の固定装置。
【請求項２】
前記２枚の載置板よりも間隔が狭く、高さの高い底上げ載置板を、前記載置板の内側に設けたことを特徴とする請求項１に記載の貫通形変流器の固定装置。
【請求項３】
前記２枚の載置板と前記底上げ載置板とを混在させたことを特徴とする請求項１または請求項２に記載の貫通形変流器の固定装置。
【請求項４】
前記貫通形変流器の開口孔部に絶縁補強を施すことを特徴とする請求項１乃至請求項３のいずれか１項に記載の貫通形変流器の固定装置。
【発明の詳細な説明】
【技術分野】
【０００１】
本発明は、スイッチギヤなどの電気機器に取り付けられる貫通形変流器の固定装置に関する。
【背景技術】
【０００２】
従来、スイッチギヤなどに用いられる主回路電流を計測する環状の貫通形変流器は、主回路導体を貫通させる貫通形変流器本体を筐体に固定するものが知られている（例えば、特許文献１参照）。貫通形変流器本体とは、コアに二次巻線を設けたものや、コアを省略した空芯のものを示し、以下、これらを単に貫通形変流器と称す。この場合、貫通形変流器が複数個になると、それぞれの貫通形変流器を筐体に固定することになる。
【０００３】
また、複数個の貫通形変流器を固定するものでは、半径方向に突出した固定部材を貫通形変流器の外周に設け、互いの固定部材を固定ボルトで固定するものが知られている（例えば、特許文献２参照）。この場合、固定部材を予め貫通形変流器に設けて置かなければならない。
【特許文献１】特開２０００−１９５７２４号公報  （第２ページ、図１１）
【特許文献２】特開平８−１８１０２７号公報  （第３ページ、図３）
【発明の開示】
【発明が解決しようとする課題】
【０００４】
上記の従来の貫通形変流器の固定装置においては、次のような問題がある。複数個の貫通形変流器を筐体に固定するものでは、それぞれを固定しなければならず、取り付け作業に手間がかかっていた。特に、主回路導体との絶縁耐力を保つため、それぞれの貫通形変流器の略中心部を主回路導体が貫通するように取り付け寸法を調整しなくてはならず、困難な作業となっていた。
【０００５】
また、貫通形変流器に固定部材を設けるものでは、構造が複雑に成らざるを得なかった。構造が複雑になると、突出した固定部材を破損させないように運搬時などに注意を払わなければならず、結果的に取り付け作業が困難なものとなっていた。このため、貫通形変流器の構造を簡素なものにし、複数個を同時に固定することのできる固定装置が望まれていた。
【０００６】
本発明は上記問題を解決するためになされたもので、貫通形変流器を容易に固定することのできる貫通形変流器の固定装置を提供することを目的とする。
【課題を解決するための手段】
【０００７】
上記目的を達成するために、本発明の貫通形変流器の固定装置は、貫通形変流器の外周面がそれぞれ当接するとともに、所定の間隔で固定された２枚の載置板と、前記２枚の載置板の一方端に固定された固定側止め板と、前記２枚の載置板の中間部から他方端までの間に移動可能に固定された可動側止め板とを備え、前記固定側止め板と前記可動側止め板とで前記貫通形変流器の軸方向と直交する面を挟持することを特徴とする。
【発明の効果】
【０００８】
本発明によれば、貫通形変流器の外周面を所定の間隔で固定した２枚の載置板に当接させ、軸方向と直交する面を固定側止め板と移動可能な可動側止め板とで挟持しているので、貫通形変流器の取り付け作業が容易となり、強固に固定することができる。
【発明を実施するための最良の形態】
【０００９】
以下、図面を参照して本発明の実施例を説明する。
【実施例１】
【００１０】
先ず、本発明の実施例１に係る貫通形変流器の固定装置を図１を参照して説明する。図１は、本発明の実施例１に係る貫通形変流器の固定装置の構成を示す斜視図である。
【００１１】
図１に示すように、環状の貫通形変流器１は、これと同様の大きさの環状の絶縁板２を挟んで、複数個が縦配置され、直線的に並べられている。開口孔１ａには、ほぼ中心部に主回路導体３が貫通される。これらの貫通形変流器１の外周面は、ベース板４に固定された所定の間隔で平行配置された２枚の載置板５にそれぞれ当接している。載置板５の間隔は貫通形変流器１の外径より狭く、高さは外周面がベース板４に少なくとも外周面が当接しない程度となっている。２枚の載置板５はほぼ同様の高さであり、貫通形変流器１が当接する端部は外周面に沿った曲面となっている。即ち、貫通形変流器１の外周面の２個所が載置板５に載置されている。また、載置板５と主回路導体３とは、ほぼ平行している。なお、ベース板４は、図示しないスイッチギヤの筐体に固定される。
【００１２】
２枚の載置板５の一方端には、板状の固定側止め板６が固定され、中間部から他方端までの内側には、コ字状の可動側止め板７がボルト８で移動可能に固定できるようになっている。そして、固定側止め板６と可動側止め板７とで貫通形変流器１の軸方向と直交する面を挟持するようになっている。載置板５の外側には、それぞれ三角形状の複数の補強板９が設けられている。載置板５は電車線路に相当し、止め板６、７により仕切っているので、これらを線路枠ということができる。
【００１３】
これにより、複数個の貫通形変流器１を載置板５に安定して並べることができ、固定側止め板６と可動側止め板７とで挟持することにより、強固に固定することができる。また、同形状の貫通形変流器１を用いた場合、それぞれの開口孔１ａを必然的に揃えることができるので、主回路導体３との絶縁距離をそれぞれの貫通形変流器１で調整することが不要となり、取り付け作業が容易となる。また、可動側止め金具７が移動可能であり、固定する個数に制限を受けない。
【００１４】
更には、絶縁板２を挟んで互いの貫通形変流器１を固定しているので、二次巻線を絶縁材料でモールドしたものを含め、絶縁テープで固定したものや絶縁材料を含浸させたものなど簡易絶縁を施したものを用いることができ、貫通形変流器１を簡素な構造とすることができる。載置板５、止め板６、７などは、金属製と絶縁製のいずれも用いることができるが、二次巻線を簡易絶縁としたものでは絶縁製が好ましい。
【００１５】
上記実施例１の貫通形変流器の固定装置によれば、２枚の載置板５を所定の間隔で配置し、複数個の貫通形変流器１の外周面がそれぞれ当接するように並べ、軸方向と直交する両端面を固定側止め板６と移動可能な可動側止め板７とで挟持しているので、複数個の貫通形変流器１の取り付け作業が容易となり、これらを安定させ強固に固定することができる。
【００１６】
上記実施例１では、スイッチギヤに用いられる貫通形変流器１について説明したが、変圧器など他の電気機器の電流計側に用いられる貫通形変流器においてもベース板４をこの電気機器の壁板などに固定して用いることができる。また、貫通形変流器１は、単独でも安定させ強固に固定することができる。
【実施例２】
【００１７】
次に、本発明の実施例２に係る貫通形変流器の固定装置を図２を参照して説明する。図２は、本発明の実施例２に係る貫通形変流器の固定装置の構成を示す正面図である。なお、この実施例２が実施例１と異なる点は、異なる外径の貫通形変流器を固定するものである。図２において、実施例１と同様の構成部分においては、同一符号を付し、その詳細な説明を省略する。
【００１８】
図２に示すように、点線で示す実施例１の貫通形変流器１よりも外径が小さい小容量の貫通形変流器１０を固定する場合には、小さい外径に合わせた載置板５の間隔よりも狭く、高さの高い２枚の底上げ載置板１１を載置板５の内側に設けている。貫通形変流器１０は、底上げ載置板１１に固定された固定側止め板６と可動側止め板７とで挟持される。開口孔１０ａには、ほぼ中心部に主回路導体３が貫通される。
【００１９】
底上げ載置板１１により、外径の小さい貫通形変流器１０を容易に固定することができる。また、底上げ載置板１１の高さを調整することにより、開口孔１ａ、１０ａを揃えることができ、外径の異なる貫通形変流器１、１０を混在させて固定することができる。なお、載置板５の間隔と高さは、最も大きい外径のものが基準となる。
【００２０】
上記実施例２の貫通形変流器の固定装置によれば、実施例１による効果のほかに、外径の異なる貫通形変流器１０も強固に固定することができる。
【実施例３】
【００２１】
次に、本発明の実施例３に係る貫通形変流器の固定装置を図３を参照して説明する。図３は、本発明の実施例３に係る貫通形変流器の固定装置の構成を示す正面図である。なお、この実施例３が実施例２と異なる点は、主回路導体に絶縁被覆を施したことである。図３において、実施例２と同様の構成部分においては、同一符号を付し、その詳細な説明を省略する。
【００２２】
図３に示すように、主回路導体３の外周には、絶縁テープや絶縁チューブのような絶縁被覆１２を設けている。これにより、貫通形変流器１、１０と主回路導体３間が絶縁補強され、開口孔１ａ、１０ａでの絶縁距離に裕度が生じ、開口孔１ａ、１０ａの中心部を揃える作業が容易となる。なお、開口孔１ａ、１０ａの内周面に絶縁筒を挿入してもよい。これらを開口孔部に絶縁補強を施すと称する。
【００２３】
上記実施例３の貫通形変流器の固定装置によれば、実施例２による効果のほかに、貫通形変流器１、１０の取り付け作業が更に容易となる。
【図面の簡単な説明】
【００２４】
【図１】本発明の実施例１に係る貫通形変流器の固定装置の構成を示す斜視図。
【図２】本発明の実施例２に係る貫通形変流器の固定装置の構成を示す正面図。
【図３】本発明の実施例３に係る貫通形変流器の固定装置の構成を示す正面図。
【符号の説明】
【００２５】
１、１０  貫通形変流器
１ａ、１０ａ  開口孔
２  絶縁板
３  主回路導体
４  ベース板
５、１１  載置板
６  固定側止め板
７  可動側止め板
８  ボルト
９  補強板
１２  絶縁被覆
【図１】
2009170840.tif 000003
【図２】
2009170840.tif 000004
【図３】
2009170840.tif 000005